(57)【要約】【課題】蓋部材を収納部材から外れ難くさせると共に確実に開閉作業が行われたことをユーザが確認することができるようにする。【解決手段】一端が開放され、その周囲に口部４を有する収納部材２と、口部４と重なり合う蓋部材３と、からなっている。そして、蓋部材３の内周面には、突起部２２が設けられている。また、収納部材２の口部４の外周面には、突起部２２が着脱可能に係止される係止部１４が設けられている。更に、収納部材２の口部４の外周面に、突起部２２を係止部１４に案内するガイド部１３を設けた。【選択図】図１
2010023907.tif 000002
【特許請求の範囲】
【請求項１】
一端が開放され、その周囲に口部を有する収納部材と、
前記口部に重なり合う蓋部材と、からなる収納容器において、
前記蓋部材の内周面に設けられた突起部と、
前記収納部材の口部の外周面に設けられ、前記突起部が着脱可能に係止される係止部と、
前記収納部材の口部の外周面に設けられ、前記突起部を前記係止部に案内するガイド部と
を備えたことを特徴とする収納容器。
【請求項２】
前記口部は、略円筒形状に形成されており、
前記蓋部材は、略円形状の上面部と、前記上面部の外縁から略垂直をなして連続し、且つ前記口部と重なり合うときに前記口部の外周面を覆う側面部とから構成され、
前記突起部は、前記側面部の内周面に所定の間隔を開けて配置された複数の突起からなる
ことを特徴とする請求項１に記載の収納容器。
【請求項３】
前記複数の突起を所定の個数ごとに等間隔に配置した
ことを特徴とする請求項２に記載の収納容器。
【請求項４】
前記複数の突起は、略半球状に突出する凸部である
ことを特徴とする請求項２に記載の収納容器。
【請求項５】
前記複数の突起は、略円錐台形状に突出する凸部である
ことを特徴とする請求項２に記載の収納容器。
【請求項６】
前記ガイド部は、前記口部の外周面から外側に突出する複数のガイド片からなり、
前記複数のガイド片は、前記突起部が当接するガイド面部を有する
ことを特徴とする請求項１〜５のいずれかに記載の収納容器。
【請求項７】
前記係止部は、前記ガイド片の一部を切り欠くことにより前記ガイド片と一体に形成した
ことを特徴とする請求項６に記載の収納容器。
【請求項８】
前記係止部は、略半球状に凹んだ窪みである
ことを特徴とする請求項１〜５のいずれかに記載の収納容器。
【請求項９】
前記係止部は、前記口部の外周面に沿って連続して形成された凹部である
ことを特徴とする請求項１〜５のいずれかに記載の収納容器。
【発明の詳細な説明】
【技術分野】
【０００１】
本発明は、収納部材とこの収納部材に重なり合う蓋部材からなる収納容器に関し、特に蓋部材と収納部材の開閉構造に関するものである。
【背景技術】
【０００２】
従来の収納容器の開閉構造としては、例えば、特許文献１に記載されているようなものがある。特許文献１には、構成部材に設けた螺子のような断面隆起状部を互いに摩擦係止させて締結させる締結装置に関するものが記載されている。
【０００３】
この特許文献１に開示されている締結装置は、２つの構成部材を備え、一方の構成部材に対して他方の構成部材が所定の位置関係を保持している。そして、一方の構成部材には、所定のリード角を有する少なくとも２個の断面隆起状部が設けられている。また、他方の構成部材には、一方の構成部材に設けた断面隆起状部が係止される少なくとも２個の断面隆起状部が設けられている。他方の構成部材に設けた少なくとも２個の断面隆起状部のうち少なくともの１個の断面隆起状部は、一方の構成部材に設けた断面隆起状部のリード角とは異なったリード角を有している。
【０００４】
そして、両構成部材を互いに対向して接近するように移動させることで、リード角の異なった断面隆起状部が摩擦係止する。このようにして特許文献１に記載されている締結装置は、２つの構成部材を一体に固定している。
【特許文献１】特開２００４−１２５０６９号公報
【発明の開示】
【発明が解決しようとする課題】
【０００５】
特許文献１に記載された締結装置の締結方法は、異なるリード角を有する断面隆起状部を摩擦係止することで２つの構成部材を締結している。そのため、この締結装置を液状の化粧品等を収納する収納部材と蓋部材とからなる収納容器に用いた場合、断面隆起状部に液状の化粧品等が付着すると、断面隆起状部の摩擦係数が低下する。その結果、特許文献１に記載された締結装置の締結方法では、係止摩擦している断面隆起状部が滑り、蓋部材が収納部材から外れるおそれがある、という問題がある。
【０００６】
また、特許文献１に記載された締結装置では、締結したときに、クリック感やクリック音が発生しない。そのため、ユーザは、開閉作業が確実に行われていることを確認することができない。その結果、特許文献１に記載された締結装置では、蓋部材と収納部材の締結が不十分な状態で係止作業が終了するおそれがあると共にユーザに対して不安感を与える、という不具合がある。
【０００７】
本発明の目的は、上述の問題点を考慮し、蓋部材を収納部材から外れ難くさせると共に確実に開閉作業が行われたことをユーザが確認することができる収納容器を提供することにある。
【課題を解決するための手段】
【０００８】
上述課題を解決し、本発明の目的を達成するため、本発明の収納容器は、一端が開放され、その周囲に口部を有する収納部材と、口部に重なり合う蓋部材と、からなっている。そして、蓋部材の内周面に設けられた突起部と、収納部材の口部の外周面に設けられ、突起部が着脱可能に係止される係止部と、収納部材の口部の外周面に設けられ、突起部を係止部に案内するガイド部を備えた。
【発明の効果】
【０００９】
本発明の収納容器によれば、蓋部材と収納部材を取り付ける際に、突起部と係止部が係止することにより、収納部材から蓋部材を外れ難くすることができる。また、係止するとき及び係止を解除するときに、クリック感やクリック音が発生するため、ユーザは、このクリック感やクリック音により蓋部材と収納部材の開閉作業が確実に行われていることを確認することができる。
【発明を実施するための最良の形態】
【００１０】
以下、本発明の収納容器の実施形態の例について、図１〜図３２を参照して説明する。なお、各図において共通の部材には、同一の符号を付している。また、本発明は、以下の形態に限定されるものではない。
【００１１】
１．第１の実施の形態
［収納容器の構成例］
まず、図１〜図５を参照して本発明の収納容器の第１の実施形態の例について説明する。図１は本発明の収納容器の第１の実施形態の例（以下、「本例」という。）を示す分解斜視図、図２は収納容器の斜視図、図３は収納容器の断面図である。
【００１２】
図１〜図３に示す本例に係る収納容器１は、例えば液状の化粧品を収納する液体化粧料容器である。収納容器１は、一面が開口された容器状の収納部材２と、この収納部材２の開口を閉じるように重なり合う蓋部材３とから構成されている。そして、図２に示すように、この収納容器１は、蓋部材３を収納部材２に重ね合わせた状態で中空の略円柱形状をなしている。
【００１３】
［収納部材］
収納部材２は、中空の略円柱形に形成されており、一端が開放されて、他端が閉じている。収納部材２は、略円筒状の口部４と、口部４から連続して設けられた収納部６と、収納部６の周囲を覆う脚部７から構成されている。
【００１４】
口部４は、略円筒状に形成されている。口部４は、軸方向の一端に開放端部８を有し、軸方向の他側に段差部１１を有している。開放端部８は、その端面を一周するように溝部１２が連続して形成されている。溝部１２は、断面形状が略三角形状になるように凹んでいる。そして、口部４における段差部１１と開放端部８の間に、ガイド部１３と、係止部１４が配設されている。
【００１５】
ガイド部１３は、略等間隔で、かつ中心に対してそれぞれ略等角度に配設された第１のガイド片群１３Ａと第２のガイド片群１３Ｂから構成されている。第１のガイド片群１３Ａは、口部４の周方向に沿って略等間隔を開けて配置された４つのガイド片１６ａ，１６ｂ，１６ｃ，１６ｄを有している。同様に、図に現れない第２のガイド片群１３Ｂは、口部４の周方向に沿って略等間隔を開けて配置された４つのガイド片１６ａ，１６ｂ，１６ｃ，１６ｄを有している。
【００１６】
４つのガイド片１６ａ〜１６ｄは、それぞれ段差部１１から開放端部８の近傍に向けて延在する凸部である。４つのガイド片１６ａ〜１６ｄのうち、正面から見て左端に位置する第１のガイド片１６ａは、切り欠きを有する略長方形状の凸部である。第１のガイド片１６ａは、第２のガイド片１６ｂと対向する面（正面から見て右側面）側に、第１のガイド面部１７ａを有している。そして、この第１のガイド面部１７ａの略中央には、係止部１４が設けられている。係止部１４は、第１のガイド片１６ａにおける第１のガイド面部１７ａをフック状に切り欠くことにより形成されている。
【００１７】
４つのガイド片１６ａ〜１６ｄのうち、正面から見て右端に位置する第４のガイド片１６ｄは、略直角三角形をなしており、開放端部８側に位置する頂点が開放端部８の近傍に向けて突出している。第４のガイド片１６ｄは、第３のガイド片１６ｃと対向する面（正面から見て左側面）側に、第２のガイド面部１７ｂを有している。第２のガイド面部１７ｂは、隣り合うガイド片に設けた係止部１４と対向する位置に押圧面１８を設けている。押圧面１８は、開放端部８に対して第２のガイド面部１７ｂから隣り合うガイド片１６に近づく方向へ傾斜した傾斜面である。
【００１８】
４つのガイド片１６ａ〜１６ｄのうち、中央に位置する第２のガイド片１６ｂ及び第３のガイド片１６ｃは、それぞれ同一の構成を有するものであるため、ここでは、第２のガイド片１６ｂについて説明する。第２のガイド片１６ｂは、略四角形状の凸部と略直角三角形状の凸部を合わせたような形状に形成されている。第２のガイド片１６ｂは、正面から見て右側面に第１のガイド片１６ａと同様に第１のガイド面部１７ａと、左側面に第４のガイド片１６ｂと同様に第２のガイド面部１７ｂを有している。第２のガイド片１６ｂにおける第１のガイド面部１７ａには、第１のガイド片１６ａと同様に係止部１４が設けられている。また、第２のガイド片１６ｂにおける第２のガイド面部１７ｂには、第４のガイド片１６ｄと同様に押圧面１８が設けられている。なお、４つのガイド片１６ａ〜１６ｄの角部は、それぞれ面取りされている。
【００１９】
図３Ａ及び図３Ｃに示すように、口部４の段差部１１の下側に、収納部６が配置されている。収納部６は、口部４の開放端部８と反対方向に略半球状に膨出し、中空のドーム状に形成されている。この収納部６と口部４で形成する空間に、例えば、液状の化粧品等の被収納物が貯留される。そして、収納部６の外周を覆うように略円筒状の脚部７が配設されている。脚部７は、口部４の段差部１１の下側から連続して形成されている。そして、この脚部７は、落下等の外部からの衝撃力を吸収することが可能である。その結果、脚部７によって、収納部６が外部からの衝撃力で破損することを防止し又は抑制することができる。そして、このような構成を有する収納部材２に蓋部材３が取り付けられる。
【００２０】
［蓋部材］
蓋部材３は、中空の略円柱形状をなしており、一端が開放されて、他端が閉じている。蓋部材３は、略円盤状の上面部３ａと、上面部３ａの外縁から略垂直をなして連続する側面部３ｂを有している。そして、側面部３ｂは、円筒状に形成されている。蓋部材３は、側面部３ｂの直径が収納部材２の口部４の直径と略等しく、或いは僅かに大きくなるように設定されている。これにより、図２及び図３Ａに示すように、蓋部材３を収納部材２に重ね合わせたときに、蓋部材３の側面部３ｂが収納部材２の口部４の外周を覆うように口部４と重なり合う。
【００２１】
蓋部材３の上面部３ａの内面には、側面部３ｂの近傍に沿って円環状に配置された凸条部２１が設けられている。凸条部２１は、断面形状が略三角形状に形成されており、上面部３ａの内面から下方に向けて突出している。そして、この凸条部２１は、蓋部材３を収納部材２に重ね合わせたときに、口部４の開放端部８に設けた溝部１２と嵌合する。これにより、蓋部材３と収納部材２との密閉性を高めることができる。
【００２２】
なお、本例では、蓋部材３と収納部材２との密閉性を高めるために、収納部材２に溝部１２を設けると共に蓋部材３に溝部１２と嵌合する凸条部２１を設けた例を説明した。しかしながら、例えば、蓋部材３の上面部３ａの内面に、略円盤状のシリコンゴムを貼り付けてもよい。これにより、蓋部材３を収納部材２に重ね合わせた際には、収納部材２の開放端部８が蓋部材３のシリコンゴムに押し込まれる。このような構成によっても、蓋部材３と収納部材２との密閉性を高めることが可能である。
【００２３】
また、側面部３ｂの内周面には、突起部２２が設けられている。突起部２２は、側面部３ｂの内周面に沿って略等間隔で、且つ中心に対してそれぞれ略等間隔に配置された４つの突起群２２Ａ，２２Ｂ，２２Ｃ，２２Ｄから構成されている。４つの突起群２２Ａ〜２２Ｄは、それぞれ所定の間隔を開けて配置された４つの突起２３ａ，２３ｂ，２３ｃ，２３ｄを有している。なお、４つの突起２３ａ〜２３ｄにおける隣り合う突起２３の間隔は、ガイド部１３の隣り合うガイド片１６の間隔よりもやや小さく、且つ１つのガイド片１６の幅と略同一になるように設定されている。突起２３ａ〜２３ｄは、それぞれ略円錐台形状に形成されている。そして、この突起部２２は、蓋部材３を収納部材２に重ね合わせたときに、収納部材２に設けたガイド部１３によって係止部１４までガイドされて、係止部１４に着脱可能に係止される。
【００２４】
なお、本例では、突起部２２を複数の突起２３からなる突起群２２Ａ〜２２Ｄに分けて蓋部材３に配置している。これにより、蓋部材の側面部の全周に亘って突起を設けた場合よりも、蓋部材を射出成型で形成する際に、蓋部材を金型から外し易くすることができる。また、上述したガイド部１３においても、複数のガイド片１６からなるガイド片群に分けて収納部材２に配置している。その結果、蓋部材と同様に、収納部材の口部の全周に亘ってガイド片を設けた場合よりも、収納部材を射出成型で形成する際に、収納部材を金型から外し易くすることが可能となる。
【００２５】
このような構成を有する収納部材２及び蓋部材３は、例えば、高分子材料からなるエンジニアリングプラスチック等を射出成型することにより形成される。なお、収納部材２及び蓋部材３の材質としては、エンジニアリングプラスチックが好適であるが、エンジニアリングプラスチック以外に金属やガラス等を用いてもよいことは勿論である。
【００２６】
［開閉動作の説明］
次に、図４及び図５を参照して、このような構成を有する収納容器１における収納部材２と蓋部材３の開閉動作について説明する。図４は、蓋部材を収納部材に重ね合わせるときの動きを説明する説明図、図５は、蓋部材と収納部材の要部を拡大して示す説明図である。
まず、図４Ａに示すように、収納部材２における口部４の開放端部８の上方に、蓋部材３における側面部３ｂの開放側を臨ませる。次に、蓋部材３を収納部材２の開口を閉じるように重ね合わせる。
【００２７】
ここで、４つの突起２３ａ〜２３ｄにおける隣り合う突起２３の間隔は、４つのガイド片１６ａ〜１６ｄにおける隣り合うガイド片１６の間隔よりもやや小さく、且つ１つのガイド片１６の幅と略同一になるように設定されている。これにより、図４Ａに示すように、隣り合う２つのガイド片１６，１６の間に、２つの突起２３，２３が入り込む。なお、本例では、どのガイド片と突起の関係も同一であるため、第２及び第３のガイド片１６ｂ，１６ｃの間に入り込んだ第１及び第２の突起２３ａ，２３ｂの動きについて説明する。
【００２８】
次に、図４Ｂに示すように、蓋部材３を収納部材２の段差部１１側に押し込むと、第２及び第３の突起２３ｂ，２３ｃが、第２のガイド片１６ｂの第１のガイド面部１７ａと第３のガイド片１６ｃの第２のガイド面部１７ｂに沿って摺動する。その結果、蓋部材３が上から押し込まれることにより、略垂直をなして収納部材２の段差部１１側に移動する。
【００２９】
次に、図４Ｂ及び図５Ａに示すように、蓋部材３の第３の突起２３ｃが、第３のガイド片１６ｃにおける第２のガイド面部１７ｂの押圧面１８に当接する。この状態で更に蓋部材３を押し込むと、第３の突起２３ｃが押圧面１８の傾斜面に沿って移動する。これにより、蓋部材３が収納部材３２に対して右回りに回動する。そして、図８Ｄ及び図９Ｂに示すように、第２の突起２３ｂが、第２のガイド片１６ｂに設けた係止部１４と着脱可能に係止される。その結果、蓋部材３と収納部材３２の閉蓋作業が完了し、蓋部材３を収納部材３２に取り付けることができる。
【００３０】
ここで、ガイド片１６の角部は、それぞれ面取りされており、突起２３は、略円錐台形状に形成されている。これにより、図４Ｃに示すように、第２の突起２３ｂが第３のガイド片１６ｃの押圧面１８における面取り面に乗り上がることで、第１の突起２３ａと係止部１４の係止作業をスムースに行うことができる。また、第１の突起２３ａと係止部１４を係止するときに、クリック感やクリック音が発生する。このクリック感やクリック音によって、ユーザは、蓋部材３が収納部材２に係止されたことを確認することができる。
【００３１】
また、蓋部材３の突起部２２が収納部材２に設けた係止部１４に係止されることで、蓋部材３と収納部材２の締結力を高めることが可能となる。これにより、収納部材２の口部４や蓋部材３の側面部３ｂに液状の収納物が付着したり、外部からの衝撃力の入力等によって、蓋部材３が緩むことを防止し又は抑制することができる。
【００３２】
更に、本発明の収納容器１によれば、蓋部材３を収納部材２に対して押し込むことで蓋部材３に設けた突起部２２が収納部材２に設けたガイド部１３によって係止部１４までガイドされるようになっている。その結果、蓋部材３を収納部材２に対して上方から押し込むだけで、で簡単に取り付けることができる。
【００３３】
なお、図３Ａ及び図５Ｂに示すように、蓋部材３の突起部２２が収納部材２の係止部１４に係止されると、蓋部材３に設けた凸条部２１が収納部材２に設けた溝部１２と嵌合する。これにより、蓋部材３と収納部材２との密閉性を高まることができる。
【００３４】
次に、収納部材２から蓋部材３を取り外す場合は、蓋部材３を収納部材２に対して左回りに回動させて、突起部２２と係止部１４の係止を解除し、蓋部材３を持ち上げる。このとき、突起２３がガイド片１６の押圧面１８を乗り越える際にクリック感やクリック音が発生する。これにより、蓋部材３を取り外す場合おいてもクリック感やクリック音が発生するため、ユーザは、蓋部材３と収納部材２の係止が解除されたことを確認することができる。そして、蓋部材３を収納部材２のガイド片１６に沿って持ち上げることで、極めて容易に収納部材２から蓋部材３を取り外すことが可能である。
【００３５】
なお、突起群を４つの突起から構成した例を説明したが、突起群を構成する突起の数は、５つ以上或いは少なくとも２つあればその目的を達成できるものである。また、突起部を複数の突起からなる４つの突起群から構成した例を説明したが、突起部を構成する突起群の数は、少なくとも１つあればよい。なお、蓋部材を収納部材にバランスよく取り付けるために、突起群を略角度間隔に３つ配置することが好ましい。更に、複数の突起を蓋部材の側面部の全周に亘って所定の間隔を開けて配置することで突起部を構成するようにしてもよい。
【００３６】
また、ガイド部を、複数のガイド片からなる２つのガイド片群に分けて構成した例を説明したが、ガイド片群の数を３つ以上或いは１つだけ設けてもその目的を達成できるものである。また、ガイド片群を構成するガイド片の数を４つとしたが、ガイド片群を構成するガイド片は、５つ以上或いは少なくとも２つあればよい。更に、複数のガイド片を収納部材の口部の全周に亘って所定の間隔を開けて配置することでガイド部を構成するようにしてもよい。
【００３７】
なお、４つのガイド片１６ａ〜１６ｄの形状を全て第２及び第３のガイド片１６ｂ，１６ｃと同一の形状としてもよい。即ち、全てのガイド片に係止部１４と押圧面１８を形成してもよい。更に、４つのガイド片１６ａ〜１６ｄにおける開放端部８側の一端部を略半球状に形成してもよい。これにより、突起２３がガイド片１６の開放端部８側の一端部に引っ掛かることなく、スムースに蓋部材３を収納部材２に重ね合わせることができる。
【００３８】
２．第２の実施の形態
［収納容器の構成例］
次に、図６〜図９を参照して本発明の収納容器の第２の実施形態の例について説明する。図６は本発明の収納容器の第２の実施形態の例を示す分解斜視図、図７は収納容器の断面図、図８は収納容器に係る収納部材の要部を拡大して示す斜視図である。図９は、蓋部材と収納部材の開閉動作を説明する説明図である。
【００３９】
図６及び図７に示すように、この第３の実施形態の例に係る収納容器５０は、収納部材５２と蓋部材５３から構成されている。
【００４０】
［蓋部材］
蓋部材５３は、側面部５３ｂの内周面に、突起部７２が配設されている。突起部７２は、側面部５３ｂの内周面に略等間隔で、且つ中心に対して略等角度に配置された４つの突起７３，７３，７３，７３から構成されている。突起７３は、略半球状をなして側面部５３ｂの内周面から突出している。
【００４１】
［収納部材］
収納部材５２は、第１の実施形態の例に係る収納容器１と同様に、口部５４と、収納部５６と、脚部５７を有している。そして、口部５４における開放端部５８と段差部６１の間にガイド部６３と係止部６４が配設されている。
【００４２】
ガイド部６３は、口部５４の外周を覆うように連続する複数のガイド片６６から構成されている（本例では、１６個）。複数のガイド片６６は、口部５４の外周面から略波状に突出しており、それぞれ開放端部５８に対し所定の角度をもって同一方向に傾斜している。更に、複数のガイド片６６の角部は、それぞれ面取りされている。そして、隣り合う２つのガイド片６６の付け根には、係止部６４が設けられている（本例では、１６個）。係止部６４は、ガイド片６６を略半円状に切り欠くことにより形成されている。
【００４３】
また、ガイド片６６は、蓋部材５３の突起７３を係止部６４にガイドするガイド面部６７を有している。ガイド面部６７は、ガイド片６６の側面に位置し、且つ係止部６４と連続している。更に、図１２に示すように、隣り合う２つのガイド片６６の間隔は、係止部６４に近づくにつれて狭くなるように設定されている。そして、係止部６４の直前には、ネック部６９が設けられている。このネック部６９は、２つのガイド片６６の間隔を一番狭くすることで形成されている。
【００４４】
その他の構成は、上述した第１の実施の形態にかかる収納容器１と同様であるため、それらの説明は省略する。このような、構成を有する収納容器５０によっても、上述した第１の実施の形態にかかる収納容器１と同様の作用及び効果を得ることができる。
【００４５】
［開閉動作の説明］
次に、図８及び図９を参照して、このような構成を有する収納容器５０における収納部材５２と蓋部材５３の開閉動作について説明する。
まず、図９Ａに示すように、収納部材５２における口部５４の開放端部５８の上方に、蓋部材５３における側面部５３ｂの開放側を臨ませる。次に、蓋部材５３を収納部材５２の開口を閉じるように重ね合わせる。これにより、ガイド部６３におけるガイド片６６のガイド面部６７に、蓋部材５３に設けた突起７３が当接する。
【００４６】
次に、図９Ｂに示すように、蓋部材５３を収納部材５２の段差部６１側へ押し込むと、突起部７２の突起７３は、ガイド片６６のガイド面部６７に沿って摺動する。その結果、蓋部材５３が、ガイド片６６の傾斜に沿って収納部材５２に対して右回りに回動する。
【００４７】
そして、更に蓋部材５３を押し込むと、図８、図９Ｃ及び図９Ｄに示すように、突起７３は、隣り合う２つのガイド片６６の間隔が狭くなっているネック部６９を通って、係止部６４と着脱可能に係止される。その結果、蓋部材５３と収納部材５２の閉蓋作業が完了し、蓋部材５３を収納部材５２に取り付けることができる。また、収納部材５２から蓋部材５３を取り外す場合は、蓋部材５３を収納部材５２に対して左周りに回動させて、突起部７２と係止部６４の係止を解除し、蓋部材５３を持ち上げる。
【００４８】
なお、本実施の形態の例では、突起７３が、ネック部６９を通過するときに、クリック感やクリック音が発生する。このクリック感やクリック音によって、ユーザは、蓋部材が収納部材に係止されたこと、又は係止が解除されたことを確認することができる。
【００４９】
また、この第２の実施形態の例では、蓋部材５３における突起部７２を構成する突起７３の数を４つとしたが、突起７３の数は、３つ以下或いは５つ以上設けてもよいことは勿論である。なお、突起７３の数と配置は、蓋部材５３を収納部材５２にバランスよく取り付けるために、略等間隔で、且つ中心に対してそれぞれ略等角度に少なくとも３つ設けることが好ましい。
【００５０】
なお、突起部の突起の数は、ガイド部のガイド片の数及び係止部の数に応じて適宜設定されるものである。詳しくは、バランスよく蓋部材と収納部材を重ね合わせるためには、各突起の間に位置するガイド片及び係止部の数が等しくする必要がある。なお、係止部は、各ガイド片の間に設けられるため、ガイド片の数と係止部の数は、等しくなる。その結果、突起部の突起の数は、ガイド部のガイド片の数及び係止部の数の約数に設定されるものである。これに対し、ガイド部のガイド片の数及び係止部の数は、突起部の突起の数の倍数に設定されるものである。
【００５１】
３．第３の実施の形態
［収納容器の構成例］
次に、図１０〜図１４を参照して本発明の収納容器の第３の実施形態の例について説明する。図１０は本発明の収納容器の第３の実施形態の例を示す分解斜視図、図１１は収納容器の断面図、図１２は収納容器に係る収納部材の要部を拡大して示す斜視図である。図１３は、蓋部材を収納部材に取り付けた状態を断面して示す説明図、図１４は、蓋部材と収納部材の開閉動作を説明する説明図である。
【００５２】
この第３の実施形態の例に係る収納容器８０と上述した第２の実施形態の例に係る収納容器５０と異なる点は、ガイド部及び係止部の形状である。なお、第２の実施形態の例に係る収納容器５０と同様の構成については同一の符号を付し、その説明を省略する。
【００５３】
［収納部材］
図１０及び図１１に示すように、この第４の実施形態の例に係る収納容器８０における収納部材８２は、第２の実施形態の例に係る収納容器５０と同様に、口部８４と、収納部８６と、脚部８７を有している。そして、口部８４における開放端部８８と段差部９１の間にガイド部９３が配設されている。口部８４の直径は、蓋部材５３の側面部５３ｂの直径と略等しくなるように設定されており、側面部５３ｂに設けた４つの突起７３の先端で形成する円の直径よりも若干大きくなるように設定されている。
【００５４】
ガイド部９３は、口部８４の外周を覆うように連続する複数のガイド片９６から構成されている（本例では、２４個）。複数のガイド片９６は、口部８４の外周面から略波状に突出しており、それぞれ開放端部８８に対し所定の角度をもって同一方向に傾斜している。なお、この実施の形態に係る複数のガイド片９６における開放端部８８に対する角度は、第３の実施の形態に係る複数のガイド片６６の角度よりも大きくなるように設定されている。更に、複数のガイド片９６の角部は、第３の実施形態と同様に、それぞれ面取りされている。そして、隣り合う２つのガイド片９６の付け根には、係止部９４が設けられている（本例では、２４個）。係止部９４は、口部８４の外周面から略半球状に凹んだ凹部である。
【００５５】
また、ガイド片９６は、蓋部材５３の突起７３を係止部９４にガイドするガイド面部９７を有している。ガイド面部９７は、ガイド片９６の側面に位置している。更に、図１６に示すように、隣り合う２つのガイド片９６の間隔は、係止部９４に近づくにつれて狭くなるように設定されている。即ち、隣り合う２つのガイド片９６の間は、係止部９４を頂点として略Ｖ字状に開いている。
【００５６】
その他の構成は、上述した第１の実施の形態にかかる収納容器１と同様であるため、それらの説明は省略する。このような、構成を有する収納容器８０によっても、上述した第１の実施の形態にかかる収納容器１と同様の作用及び効果を得ることができる。
【００５７】
［開閉動作の説明］
次に、図１２〜図１４を参照して、このような構成を有する収納容器８０における収納部材８２と蓋部材５３の開閉動作について説明する。
まず、図１４Ａに示すように、収納部材８２における口部８４の開放端部８８の上方に、蓋部材５３における側面部５３ｂの開放側を臨ませる。次に、蓋部材５３を収納部材８２の開口を閉じるように重ね合わせる。これにより、ガイド部９３における隣り合うガイド片９６の間に蓋部材５３に設けた突起７３が入り込む。更に、ガイド片９６のガイド面部９７及び口部８４の外周面に、蓋部材５３に設けた突起７３が当接する。
【００５８】
ここで、口部８４の直径は、４つの突起７３の先端で形成する円の直径よりも若干大きくなるように設定されている。そのため、突起７３が口部８４の外周面に当接することで、蓋部材５３の側面部５３ｂが弾性変形する。その結果、蓋部材５３は、収納部材８２の口部８４によって、側面部５３ｂの開口部が若干広がる。
【００５９】
次に、図１２、図１４Ｂ及び図１４Ｃに示すように、蓋部材５３を収納部材８２の段差部９１側へ押し込むと、上述した第２の実施形態の例と同様に、突起部７２の突起７３は、ガイド片９６のガイド面部９７に沿って摺動する。その結果、蓋部材５３が、ガイド片９６の傾斜に沿って収納部材８２に対して右回りに回動する。
【００６０】
そして、更に蓋部材５３を押し込むと、図１２、図１３及び図１４Ｄに示すように、突起７３が、凹部である係止部９４と着脱可能に係止される。このとき、蓋部材５３の側面部５３ｂに付与されていた弾性が開放される。その結果、蓋部材５３と収納部材８２の閉蓋作業が完了し、蓋部材５３を収納部材８２に取り付けることができる。また、収納部材８２から蓋部材５３を取り外す場合は、蓋部材５３を収納部材８２に対して左回りに回動させて、突起部７２と係止部９４の係止を解除する。なお、本実施の形態の例では、突起７３が凹部である係止部９４に嵌り込むことで、クリック感やクリック音が発生する。
【００６１】
なお、第１〜第３の実施の形態に係る収納容器において、収納部材に設けたガイド片の傾斜方向は、上述した実施の形態と反対方向に傾斜させてもよい。これにより、閉蓋動作時には、蓋部材は収納部材に対して左回りに回動し、開蓋動作時には、蓋部材は収納部材に対して右回りに回動する。
【００６２】
４．第４の実施の形態
［収納容器の構成例］
次に、図１５〜図１９を参照して本発明の収納容器の第４の実施形態の例について説明する。図１５は本発明の収納容器の第５の実施形態の例を示す分解斜視図、図１６は収納容器の断面図、図１７は収納容器に係る収納部材の要部を拡大して示す斜視図である。図１８は、蓋部材と収納部材の開閉動作を説明する説明図、図１９は、突起部と係止部の係止状態を断面して示す説明図である。
【００６３】
図１５及び図１６に示すように、この第４に実施形態の例に係る収納容器１０１は、収納部材１０２と蓋部材１０３から構成されている。
【００６４】
［蓋部材］
蓋部材１０３は、側面部１０３ｂの内周面に、突起部１２２が配設されている。突起部１２２は、側面部１０３ｂの内周面に略等角度間隔（略１２０度間隔）に配置された３つの突起１２３，１２３，１２３から構成されている。突起１２３は、略半球状をなして側面部１０３ｂの内周面から突出している。
【００６５】
［収納部材］
収納部材１０２は、第１の実施形態の例に係る収納容器１と同様に、口部１０４と、収納部１０６と、脚部１０７を有している。そして、口部１０４における開放端部１０８と段差部１１１の間にガイド部１１３と係止部１１４が配設されている。
【００６６】
ガイド部１１３は、口部１０４の外周から突出する６つの第１のガイド片１１６ａと６つの第２のガイド片１１６ｂとから構成されている。第１のガイド片１１６ａは、略三角形状の凸部である。そして、この６つの第１のガイド片１１６ａは、口部１０４の周方向に沿って等角度間隔（略６０度間隔）に連続して配設されている。これにより、６つの第１のガイド片１１６ａは、全体として略波形状に突出した凸部として形成されている。そして、第１のガイド片１１６ａの傾斜面が、第１のガイド面部１１７ａを形成している。
【００６７】
第２のガイド片１１６ｂは、略五角形状の凸部である。この６つの第２のガイド片１１６ｂは、口部１０４の周方向に沿って略等間隔に配設されている。そして、６つの第２のガイド片１１６ｂは、それぞれ６つの第１のガイド片１１６ａの隙間に位置している。そして、第２のガイド片１１６ｂの側面が、第２のガイド面部１１７ｂを形成している。
【００６８】
また、図１５及び図１７に示すように第１のガイド面部１１７ａにおける隣り合う２つの第１のガイド片１１６ａが接続する位置に、係止部１１４が設けられている。即ち、係止部１１４は、第１のガイド面部１１７ａと段差部１１１の距離が一番狭くなる位置に配設されている。更に、第１のガイド面部１１７ａには、係止部１１４を間に挟むように２つの押圧部１１８、１１８が設けられている。押圧部１１８は、第１のガイド面部１１７ａから第２のガイド面部１１７ｂに向けて膨出している。
【００６９】
その他の構成は、上述した第１の実施の形態にかかる収納容器１と同様であるため、それらの説明は省略する。このような、構成を有する収納容器１０１によっても、上述した第１の実施の形態にかかる収納容器１と同様の作用及び効果を得ることができる。
【００７０】
［開閉動作の説明］
次に、図１７〜図１９を参照して、このような構成を有する収納容器１０１における収納部材１０２と蓋部材１０３の開閉動作について説明する。
まず、図１８Ａに示すように、収納部材１０２における口部１０４の開放端部１０８の上方に、蓋部材１０３における側面部１０３ｂの開放側を臨ませる。次に、蓋部材１０３を収納部材１０２の開口を閉じるように重ね合わせる。これにより、図１８Ａでは、第１のガイド片１１６ａの第１のガイド面部１１７ａに、蓋部材１０３に設けた突起１２３が当接する。
【００７１】
次に、図１７及び図１８Ｂに示すように、蓋部材１０３を収納部材１０２の段差部１１１側へ押し込むと、突起部１２２の突起１２３は、第１のガイド片１１６ａの第１のガイド面部１１７ａに沿って摺動する。その結果、蓋部材１０３が、第１のガイド面部１１７ａの傾斜に沿って収納部材１０２に対して左回り、又は右回りに回動する。なお、蓋部材１０３と収納部材１０２を重ね合わせる位置によって、図１７に示すように、突起１２３は、第２のガイド片１１６ｂの第２のガイド面部１１７ｂに当接する場合がある。この場合においても、突起２３は、第２のガイド面部１１７ｂに沿って摺動し、第１のガイド面部１１７ａにガイドされる。
【００７２】
これにより、蓋部材１０３を収納部材１０２に対してどのような位置に重ね合わせても、確実に蓋部材１０３を第１及び第２のガイド面部１１７ａ，１１７ｂでガイドすることができる。その結果、ユーザは、収納部材１０２と蓋部材１０３の位置合わせを行うことなく、極めて容易に収納部材１０２と蓋部材１０３を重ね合わせることが可能である。
【００７３】
そして、更に蓋部材１０３を押し込むと、図１７、図１８Ｃ、図１８Ｄ及び図１９に示すように、突起１２３は、第１のガイド面部１１７ａに設けた押圧部１１８を乗り越えて、係止部１１４に着脱可能に係止される。即ち、突起１２３は、第１のガイド片１１６ａと第２のガイド片１１６ｂの間に介在されるように係止される。その結果、蓋部材１０３と収納部材１０２の閉蓋作業が完了し、蓋部材１０３を収納部材１０２に取り付けることができる。なお、本実施の形態の例では、突起１２３が押圧部１１８を乗り越えて、係止部１１４に嵌り込むことで、クリック感やクリック音が発生する。
【００７４】
また、収納部材１０２から蓋部材１０３を取り外す場合は、突起部１２２と係止部１１４の係止を解除し、蓋部材１０３を持ち上げる。このとき、突起部１２２は、蓋部材１０３を左右どちらの方向に回しても係止状態を解除することができる。そのため、ユーザは、蓋部材１０３を取り外す際に、蓋部材１０３の回動方向を選択する必要がない。その結果、ユーザが開け易い方向に蓋部材１０３を回して、蓋部材１０３を取り外すことができる。
【００７５】
更に、この第４の実施形態の例では、蓋部材１０３における突起部１２２を構成する突起１２３の数を３つとしたが、突起１２３の数は、２つ或いは４つ以上設けてもよいことは勿論である。なお、突起１２３の数と配置は、蓋部材１０３を収納部材１０２にバランスよく取り付けるために、略等間隔で、且つ中心に対してそれぞれ略等角度に少なくとも３つ設けることが好ましい。
【００７６】
なお、本実施の形態においても、第２の実施の形態と同様に、突起部の突起の数は、ガイド部のガイド片の数及び係止部の数に応じて適宜設定されるものである。即ち、バランスよく蓋部材と収納部材を重ね合わせるために、突起部の突起の数は、ガイド部のガイド片の数及び係止部の数の約数に設定されるものである。これに対し、ガイド部のガイド片の数及び係止部の数は、突起部の突起の数の倍数に設定されるものである。
【００７７】
５．第５の実施の形態
［収納容器の構成例］
次に、図２０〜図２３を参照して本発明の収納容器の第５の実施形態の例について説明する。図２０は本発明の収納容器の第５の実施形態の例を示す分解斜視図、図２１は収納容器の断面図、図２２は収納容器に係る収納部材の要部を拡大して示す斜視図である。図２３は、蓋部材と収納部材の開閉動作を説明する説明図である。
【００７８】
この第５の実施形態の例に係る収納容器１３０と上述した第４の実施形態の例に係る収納容器１０１と異なる点は、ガイド部及び係止部の形状である。なお、第４の実施形態の例に係る収納容器１０１と同様の構成、特に蓋部材１０３については同一の符号を付し、その説明を省略する。
【００７９】
［収納部材］
図２０及び図２１に示すように、この第５の実施形態の例に係る収納容器１３０における収納部材１３２は、第４の実施形態の例に係る収納容器１０１と同様に、口部１３４と、収納部１３６と、脚部１３７を有している。そして、口部１３４における開放端部１３８と段差部１４１の間にガイド部１４３が配設されている。
【００８０】
ガイド部１４３は、第１のガイド片１４６ａと第２のガイド片１４６ｂとから構成されている。第１のガイド片１４６ａは、略三角形状の凸部である。そして、この６つの第１のガイド片１４６ａは、口部１３４の周方向に沿って等角度間隔（略６０度間隔）に連続して配設されている。これにより、６つの第１のガイド片１４６ａは、全体として略波形状に突出した凸部として形成されている。そして、第１のガイド片１４６ａの傾斜面が、第１のガイド面部１４７ａを形成している。なお、この実施の形態に係る第１のガイド片１４６ａは、上述した第４の実施の形態に係る第１のガイド片１１６ａよりも開放端部１３８に対してその傾斜が緩やかに設定されている。
【００８１】
第２のガイド片１４６ｂは、略菱形をなす凸部である。この６つの第２のガイド片１４６ｂは、口部１３４の周方向に沿って略等間隔に配設されている。そして、６つの第２のガイド片１４６ｂは、それぞれ６つの第１のガイド片１４６ａの隙間に位置している。そして、第２のガイド片１４６ｂの側面が、第２のガイド面部１４７ｂを形成している。
【００８２】
また、図２０及び図２２に示すように、隣り合う２つの第１のガイド片１４６ａが接続する位置と第２のガイド片１４６ｂにおける段差部１４１側の頂点で挟む空間に、係止部１４４が設けられている。即ち、係止部１４４は、第５の実施形態と同様に、第１のガイド面部１４７ａと段差部１４１の距離が一番狭くなる位置に配設されている。係止部１４４は、２つの係止片１４４ａ，１４４ａから構成されている。２つの係止片１４４ａ，１４４ａは、所定の間隔を開けて口部１３４の外周面から突出しいる。そして、図２２及び図２３に示すように、この２つの係止片１４４ａ，１４４ａの間に突起部１２２の突起１２３が着脱可能に係止される。
【００８３】
その他の構成は、上述した第１の実施の形態にかかる収納容器１と同様であるため、それらの説明は省略する。このような、構成を有する収納容器１０１によっても、上述した第１の実施の形態にかかる収納容器１と同様の作用及び効果を得ることができる。また、この実施の形態に係る収納容器１３０の収納部材１０２と蓋部材１０３の開閉動作は、上述した第５の実施の形態に係る収納容器１０１と同様であるため、その説明は省略する。
【００８４】
６．第６の実施の形態
［収納容器の構成例］
次に、図２４〜図２６を参照して本発明の収納容器の第６の実施形態の例について説明する。図２４は本発明の収納容器の第６の実施形態の例を示す分解斜視図、図２５は収納容器に係る収納部材の要部を拡大して示す斜視図、図２６は蓋部材と収納部材の開閉動作を説明する説明図である。
【００８５】
この第６の実施形態の例に係る収納容器１３０Ａは、上述した第５の実施形態の例に係る収納容器１３０に第３のガイド片を設けたものである。即ち、第２のガイド片１４６ｂの第２のガイド面部１４７ｂにおける段差部１４１側の２辺のうち１辺と隣り合うように第３のガイド片１４６ｃが配設されている。第３のガイド片１４６ｃは、第１のガイド片１４６ａと第２のガイド片１４６ｂの間の一部を埋めるように突出している。そして、この第３のガイド片１４６ｃの側面が、第３のガイド面部１１７ｃを形成している。更に、第３のガイド片１４６ｃにおける段差部１４１側の側面と１つの係止片１４４ａによって、係止部１４４Ａを構成している。
【００８６】
その他の構成は、上述した第５の実施形態の例に係る収納容器１３０と同様の構成であるため、同一の符号を付し、それらの説明を省略する。このような、構成を有する収納容器１３０Ａによっても、上述した第１の実施の形態にかかる収納容器１と同様の作用及び効果を得ることができる。
【００８７】
［開閉動作の説明］
次に、図２５〜図２６を参照して、このような構成を有する収納容器１３０Ａにおける収納部材１３２と蓋部材１０３の開閉動作について説明する。
図２６Ａに示すように、蓋部材１０３を収納部材１３２の開口を閉じるように重ね合わせる。これにより、図２６Ａでは、第２のガイド片１４６ｂの第２のガイド面部１４７ｂにおける第３のガイド片１４６ｃ側に、蓋部材１０３に設けた突起１２３が当接する。そして、蓋部材１０３を押し込むと、図２５、図２６Ｂ〜図２６Ｄに示すように、突起１２３は、第２のガイド面部１４７ｂから第３のガイド片１４６ｃの第３のガイド面部１４７ｃを介して第１のガイド片１４６ａの第１のガイド面部１４７ａに摺動する。その結果、蓋部材１０３は、第１〜第３のガイド面部１４７ａ〜１４７ｃの傾斜に沿って収納部材１３２に対して右回りに回動する。
【００８８】
また、図２５に示すように、突起１２３が第２のガイド面部１４７ｂにおける図２６Ａと反対側に当接しても、突起１２３を第２のガイド面部１４７ｂから第１のガイド面部１４７ａにガイドすることができる。そして、更に蓋部材１０３を押し込むと、図２５、図２６Ｄ及び図２６Ｅに示すように、突起１２３は、係止片１４４ａを乗り越えて、係止部１４４Ａに着脱可能に係止される。即ち、突起１２３は、第３のガイド片１４６ｃと係止片１４４ａの間に介在されるように係止される。その結果、蓋部材１０３と収納部材１３２の閉蓋作業が完了し、蓋部材１０３を収納部材１３２に取り付けることができる。また、また、収納部材１３２から蓋部材１０３を取り外す場合は、蓋部材１０３を左回りに回動させて、突起部１２２と係止部１４４Ａの係止を解除し、蓋部材１０３を持ち上げる。
【００８９】
７．第７の実施の形態
［収納容器の構成例］
次に、図２７〜図３２を参照して本発明の収納容器の第７の実施形態の例について説明する。図２７は本発明の収納容器の第７の実施形態の例を示す分解斜視図、図２８は収納容器の断面図、図２９及び図３０は収納容器に係る収納部材の要部を拡大して示す斜視図である。図３１及び図３２は、蓋部材と収納部材の開閉動作を説明する説明図である。
【００９０】
図２７及び図２８に示すように、この第７の実施形態の例に係る収納容器１５０は、上述した第１の実施形態の例に係る収納容器１と同様に、収納部材１５２と蓋部材１５３から構成されている。
【００９１】
［収納部材］
収納部材１５２は、口部１５４と、収納部１５６と、脚部１５７を有している。口部１５４は、ガイド部１６３と係止部１６４を有している。ガイド部１６３は、４つのガイド片１６６から構成されている。４つのガイド片１６６は、口部１５４の外周面においてその周方向に略等角度間隔に配置されている。この４つのガイド片１６６は、それぞれ略三角形状をなす凸部である。そして、この４つのガイド片１６６の傾斜面が、ガイド面部１６７を形成している。
【００９２】
係止部１６４は、口部１５４における脚部１５７と接続する位置に形成されている。係止部１６４は、口部１５４の外周面においてその周方向に連続して凹んだ長溝である。そして、この係止部１６４には、４つのロック解除片１６８が設けられている。４つのロック解除片１６８は、係止部１６４の凹部内に略等角度間隔に配置されており、それぞれ４つのガイド片１６６の間に位置している。
【００９３】
［蓋部材］
蓋部材１５３は、突起部１７２と４つの回転ストッパ１７４を有している。突起部１７２は、蓋部材１５３における側面部１５３ｂの内周面に配設されている。そして、この突起部１７２は、側面部１５３ｂの内周面に略等角度間隔に配置された４つの突起１７３，１７３，１７３，１７３から構成されている。突起１７３は、略円錐台形状をなす凸部である。この４つの突起１７３の先端で形成する円の直径は、収納部材１５２の口部１５４の外径よりも若干小さくなるように設定されている。そして、４つの突起１７３は、図２９に示すように、蓋部材１５３を収納部材１５２に重ね合わせた際に、収納部材１５２に設けた係止部１６４に嵌り込み、着脱可能に係止される。
【００９４】
４つの回転ストッパ１７４は、蓋部材１５３の内側における上面部１５３ａと側面部１５３ｂが交わる角部に略等角度間隔に配設されている。この４つの回転ストッパ１７４は、それぞれ所定の間隔を開けて配置された２つのストッパ片１７４ａ，１７４ａから構成されている。そして、この４つの回転ストッパ１７４は、図３０に示すように、蓋部材１５３を収納部材１５２に重ね合わせた際に、２つのストッパ片１７４ａ，１７４ａの間にガイド部１６３のガイド片１６６の頂点が入り込む。これにより、２つのストッパ片１７４ａ，１７４ａにガイド片１６６が当接することで、蓋部材１５３が所定距離以上に周方向に移動することを規制することができる。
【００９５】
［開閉動作の説明］
次に、図２９、図３１及び図３２を参照して、このような構成を有する収納容器１５１における収納部材１５２と蓋部材１５３の開閉動作について説明する。
まず、蓋部材１５３を収納部材１５２に取り付ける場合では、図３１Ａに示すように、蓋部材１５３を収納部材１５２の開口を閉じるように重ね合わせる。これにより、ガイド片１６６のガイド面部１６７に、蓋部材１５３に設けた突起１７３が当接する。ここで、口部１５４の直径は、４つの突起１７３の先端で形成する円の直径よりも若干大きくなるように設定されている。そのため、突起１７３が口部１５４の外周面に当接することで、蓋部材１５３の側面部１５３ｂが弾性変形する。その結果、蓋部材１５３は、収納部材１５２の口部１５４によって、側面部１５３ｂの開口部が若干広がる。
【００９６】
そして、図２９及び図３１Ｂに示すように、突起１７３は、ガイド片１６６のガイド面部１６７に沿って摺動する。その結果、蓋部材１５３が、ガイド面部１６７の傾斜に沿って収納部材１５２に対して左回り、又は右回りに回動する。なお、蓋部材１５３の突起１７３がガイド片１６６に当接しなくても、図２９に示すように、突起１７３は、収納部材１５２の口部１５４の外周面に沿って略垂直に移動する。その結果、蓋部材１５３は、収納部材１５２の係止部１６４側に略垂直に移動する。
【００９７】
これにより、蓋部材１５３を収納部材１５２に対してどのような位置においても確実に突起部１７２の突起１７３を係止部１６４までガイドすることができる。その結果、ユーザは、収納部材１５２と蓋部材１５３の位置合わせを行うことなく、極めて容易に収納部材１５２と蓋部材１５３を重ね合わせることが可能である
【００９８】
そして、更に蓋部材１５３を押し込むと、図２９及び図３１Ｃに示すように、突起１７３は、凹部である係止部１６４に嵌り込む。これにより、突起１７３と係止部１６４が着脱可能に係止される。このとき、蓋部材１５３の側面部１５３ｂに付与されていた弾性が開放される。その結果、蓋部材１５３と収納部材１５２の閉蓋作業が完了し、蓋部材１５３を収納部材１５２に取り付けることができる。
【００９９】
このとき、図３０に示すように、蓋部材１５３に設けた回転ストッパ１７４の２つのストッパ片１７４ａ，１７４ａの間にガイド部１６３のガイド片１６６の頂点が入り込む。これにより、２つのストッパ片１７４ａ，１７４ａにガイド片１６６が当接することで、蓋部材１５３が所定距離以上に周方向に移動することを規制することができる。その結果、蓋部材１５３を閉じた状態において、蓋部材１５３が収納部材１５２に対して回転することを防止し、又は抑制することができる。
【０１００】
次に、蓋部材１５３の取り外し作業は、例えば次のようにして行われる。まず、図３２Ａ及び図３２Ｂに示すように、蓋部材１５３を収納部材１５２に対して左回りに回動させる。これにより、突起１７３が係止部１６４に設けたロック解除片１６８に乗り上がる。その結果、突起部１７２と係止部１６４の係止状態が解除される。そして、図３２Ｃに示すように、蓋部材１５３を上方に持ち上げる。これにより、蓋部材１５３を収納部材１５２から取り外すことができる。
【０１０１】
なお、この第７の実施形態の例では、蓋部材１５３における突起部１７２を構成する突起の数を４つとしたが、突起の数は、３つ以下或いは５つ以上設けてもよいことは勿論である。なお、突起の数と配置は、蓋部材を収納部材にバランスよく取り付けるために、略等角度間隔に少なくとも３つ設けることが好ましい。更に、ガイド部１６３のガイド片１６６の数も、突起の数に対応させることが好ましい。
【０１０２】
このような、構成を有する収納容器１５０によっても、上述した第１の実施の形態にかかる収納容器１と同様の作用及び効果を得ることができる。
【０１０３】
なお、本発明は上述しかつ図面に示した実施の形態に限定されるものではなく、特許請求の範囲に記載した発明の要旨を逸脱しない範囲内で種々の変形実施が可能である。
【図面の簡単な説明】
【０１０４】
【図１】本発明の収納容器の第１の実施の形態を示す分解斜視図である。
【図２】本発明の収納容器の第１の実施の形態を示す斜視図である。
【図３】本発明の収納容器の第１の実施の形態を示す断面図であり、図３Ａは蓋部材と収納部材を重ねた状態を示す断面図、図３Ｂは蓋部材を示す断面図、図３Ｃは収納部材を示す断面図である。
【図４】本発明の収納容器の第１の実施の形態に係る蓋部材と収納部材の開閉作業を示す説明図である。
【図５】本発明の収納容器の第１の実施の形態に係る突起部と係止部の係止状態を示すもので、図５Ａは係止前の状態における要部を拡大して示す説明図、図５Ｂは係止後の状態における要部を拡大して示す説明図である。
【図６】本発明の収納容器の第２の実施の形態を示す分解斜視図である。
【図７】本発明の収納容器の第２の実施の形態を示す断面図であり、図７Ａは蓋部材と収納部材を重ねた状態を示す断面図、図７Ｂは蓋部材を示す断面図、図７Ｃは収納部材を示す断面図である。
【図８】本発明の収納容器の第２の実施の形態に係る収納部材の要部を拡大して示す斜視図である。
【図９】本発明の収納容器の第２の実施の形態に係る蓋部材と収納部材の開閉作業を示す説明図である。
【図１０】本発明の収納容器の第３の実施の形態を示す分解斜視図である。
【図１１】本発明の収納容器の第３の実施の形態を示す断面図であり、図１１Ａは蓋部材と収納部材を重ねた状態を示す断面図、図１１Ｂは収納部材を示す断面図である。
【図１２】本発明の収納容器の第３の実施の形態に係る収納部材の要部を拡大して示す斜視図である。
【図１３】本発明の収納容器の第３の実施の形態に係る突起部と係止部の係止状態を断面して示す説明図である。
【図１４】本発明の収納容器の第３の実施の形態に係る蓋部材と収納部材の開閉作業を示す説明図である。
【図１５】本発明の収納容器の第４の実施の形態を示す分解斜視図である。
【図１６】本発明の収納容器の第４の実施の形態を示す断面図であり、図１６Ａは蓋部材と収納部材を重ねた状態を示す断面図、図１６Ｂは蓋部材を示す断面図、図１６Ｃは収納部材を示す断面図である。
【図１７】本発明の収納容器の第４の実施の形態に係る収納部材の要部を拡大して示す斜視図である。
【図１８】本発明の収納容器の第４の実施の形態に係る蓋部材と収納部材の開閉作業を示す説明図である。
【図１９】本発明の収納容器の第４の実施の形態に係る突起部と係止部の係止状態を断面して示す説明図である。
【図２０】本発明の収納容器の第５の実施の形態を示す分解斜視図である。
【図２１】本発明の収納容器の第５の実施の形態を示す断面図であり、図２１Ａは蓋部材と収納部材を重ねた状態を示す断面図、図２１Ｂは収納部材を示す断面図である。
【図２２】本発明の収納容器の第５の実施の形態に係る収納部材の要部を拡大して示す斜視図である。
【図２３】本発明の収納容器の第５の実施の形態に係る蓋部材と収納部材の開閉作業を示す説明図である。
【図２４】本発明の収納容器の第６の実施の形態を示す分解斜視図である。
【図２５】本発明の収納容器の第６の実施の形態に係る収納部材の要部を拡大して示す斜視図である。
【図２６】本発明の収納容器の第６の実施の形態に係る蓋部材と収納部材の開閉作業を示す説明図である。
【図２７】本発明の収納容器の第７の実施の形態を示す分解斜視図である。
【図２８】本発明の収納容器の第７の実施の形態を示す断面図であり、図２８Ａは蓋部材と収納部材を重ねた状態を示す断面図、図２８Ｂは蓋部材を示す断面図、図２８Ｃは収納部材を示す断面図である。
【図２９】本発明の収納容器の第７の実施の形態に係る収納部材の要部を拡大して示す斜視図である。
【図３０】本発明の収納容器の第７の実施の形態に係る収納部材及び蓋部材の要部を拡大して示す斜視図である。
【図３１】本発明の収納容器の第７の実施の形態に係る蓋部材と収納部材の閉蓋作業を示す説明図である。
【図３２】本発明の収納容器の第７の実施の形態に係る蓋部材と収納部材の開放作業を示す説明図である。
【符号の説明】
【０１０５】
１，５０，８０，１０１，１３０，１３０Ａ，１５０…収納容器、  ２，５２，８２，１０２，１３２、１５２…収納部材、  ３，５３，１０３，１５３…蓋部材、  ３ａ…上面部、  ３ｂ…側面部、  ４…口部、  ６…収納部、  ７…脚部、  ８…開放端部、  １１…段差部、  １２…溝部、  １３，６３，９３，１１３，１４３，１６３…ガイド部、  １３Ａ…第１のガイド片群、  １３Ｂ…第２のガイド片群、  １４，６４，９４，１１４，１４４，１４４Ａ，１６４…係止部、  １６…ガイド片、  １６ａ…第１のガイド片、  １６ｂ…第２のガイド片、  １６ｃ…第３のガイド片、  １６ｄ…第４のガイド片、  １７ａ…第１のガイド面部、  １７ｂ…第２のガイド面部、  １８…押圧部、  ２１…凸条部、  ２２，７２，１２２，１７２…突起部、  ２２Ａ…第１の突起群、  ２２Ｂ…第２の突起群、  ２２Ｃ…第３の突起群、  ２２Ｄ…第４の突起群、  ２３…突起、  ２３ａ…第１の突起、  ２３ｂ…第２の突起、  ２３ｃ…第３の突起、  ２３ｄ…第４の突起，  １４４ａ…係止片、  １６８…ロック解除片、  １７４・・回転ストッパ、  １７４ａ…ストッパ片
【図１】
2010023907.tif 000003
【図２】
2010023907.tif 000004
【図３】
2010023907.tif 000005
【図４】
2010023907.tif 000006
【図５】
2010023907.tif 000007
【図６】
2010023907.tif 000008
【図７】
2010023907.tif 000009
【図８】
2010023907.tif 000010
【図９】
2010023907.tif 000011
【図１０】
2010023907.tif 000012
【図１１】
2010023907.tif 000013
【図１２】
2010023907.tif 000014
【図１３】
2010023907.tif 000015
【図１４】
2010023907.tif 000016
【図１５】
2010023907.tif 000017
【図１６】
2010023907.tif 000018
【図１７】
2010023907.tif 000019
【図１８】
2010023907.tif 000020
【図１９】
2010023907.tif 000021
【図２０】
2010023907.tif 000022
【図２１】
2010023907.tif 000023
【図２２】
2010023907.tif 000024
【図２３】
2010023907.tif 000025
【図２４】
2010023907.tif 000026
【図２５】
2010023907.tif 000027
【図２６】
2010023907.tif 000028
【図２７】
2010023907.tif 000029
【図２８】
2010023907.tif 000030
【図２９】
2010023907.tif 000031
【図３０】
2010023907.tif 000032
【図３１】
2010023907.tif 000033
【図３２】
2010023907.tif 000034
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
一端が開放され、その周囲に口部を有する収納部材と、
前記口部に重なり合う蓋部材と、からなる収納容器において、
前記蓋部材の内周面に設けられた一の係止部と、
前記収納部材の口部の外周面に設けられ、前記一の係止部が着脱可能に係止される他の係止部と、
前記収納部材の口部の外周面に設けられ、前記一の係止部を前記他の係止部に案内するガイド部と
を備えたことを特徴とする収納容器。
【請求項２】
一端が開放され、その周囲に口部を有する収納部材と、
前記口部に重なり合う蓋部材と、からなる収納容器において、
前記収納部材の口部の外周面に設けられた突起部と、
前記蓋部材の内周面に設けられ、前記突起部が着脱可能に係止される係止部と、
前記蓋部材の内周面に設けられ、前記突起部を前記係止部に案内するガイド部と
を備えたことを特徴とする収納容器。
【請求項３】
一端が開放され、その周囲に口部を有する収納部材と、
前記口部に重なり合う蓋部材と、からなる収納容器において、
前記蓋部材の内周面に設けられた突起部と、
前記収納部材の口部の外周面に設けられ、前記突起部が着脱可能に係止される係止部と、
前記収納部材の口部の外周面に設けられ、前記突起部を前記係止部に案内するガイド部と
を備えたことを特徴とする収納容器。
【請求項４】
前記口部は、略円筒形状に形成されており、
前記蓋部材は、略円形状の上面部と、前記上面部の外縁から略垂直をなして連続し、且つ前記口部と重なり合うときに前記口部の外周面を覆う側面部とから構成され、
前記突起部は、前記側面部の内周面に所定の間隔を開けて配置された複数の突起からなる
ことを特徴とする請求項３に記載の収納容器。
【請求項５】
前記複数の突起を所定の個数ごとに等間隔に配置した
ことを特徴とする請求項４に記載の収納容器。
【請求項６】
前記複数の突起は、略半球状に突出する凸部である
ことを特徴とする請求項４に記載の収納容器。
【請求項７】
前記複数の突起は、略円錐台形状に突出する凸部である
ことを特徴とする請求項４に記載の収納容器。
【請求項８】
前記ガイド部は、前記口部の外周面から外側に突出する複数のガイド片からなり、
前記複数のガイド片は、前記突起部が当接するガイド面部を有する
ことを特徴とする請求項３〜７のいずれかに記載の収納容器。
【請求項９】
前記係止部は、前記ガイド片の一部を切り欠くことにより前記ガイド片と一体に形成した
ことを特徴とする請求項８に記載の収納容器。
【請求項１０】
前記係止部は、略半球状に凹んだ窪みである
ことを特徴とする請求項３〜７のいずれかに記載の収納容器。
【請求項１１】
前記係止部は、前記口部の外周面に沿って連続して形成された凹部である
ことを特徴とする請求項３〜７のいずれかに記載の収納容器。
【手続補正２】
【補正対象書類名】明細書
【補正対象項目名】０００８
【補正方法】変更
【補正の内容】
【０００８】
上述課題を解決し、本発明の目的を達成するため、本発明の収納容器は、一端が開放され、その周囲に口部を有する収納部材と、口部に重なり合う蓋部材と、からなっている。そして、蓋部材の内周面に設けられた突起部と、収納部材の口部の外周面に設けられ、突起部が着脱可能に係止される係止部と、収納部材の口部の外周面に設けられ、突起部を係止部に案内するガイド部を備えた。
また、本発明の収納容器は、蓋部材の内周面に設けられた一の係止部と、収納部材の口部の外周面に設けられ、一の係止部が着脱可能に係止される他の係止部と、収納部材の口部の外周面に設けられ、一の係止部を他の係止部に案内するガイド部とを備えた。
更に、本発明の収納容器は、収納部材の口部の外周面に設けられた突起部と、蓋部材の内周面に設けられ、突起部が着脱可能に係止される係止部と、蓋部材の内周面に設けられ、突起部を係止部に案内するガイド部とを備えた。
【手続補正３】
【補正対象書類名】明細書
【補正対象項目名】０１０３
【補正方法】変更
【補正の内容】
【０１０３】
なお、本発明は上述しかつ図面に示した実施の形態に限定されるものではなく、特許請求の範囲に記載した発明の要旨を逸脱しない範囲内で種々の変形実施が可能である。例えば、上述した実施の形態例では、収納部材に係止部及びガイド部を設け、蓋部材に突起部を設けた例を説明したが、蓋部材に係止部及びガイド部を設けて収納部材に突起部を設けてもよい、ことは勿論である。